【手続補正書】
【提出日】平成20年11月25日(2008.11.25)
【手続補正１】
【補正対象書類名】特許請求の範囲
【補正対象項目名】全文
【補正方法】変更
【補正の内容】
【特許請求の範囲】
【請求項１】
可撓性の、長手方向に延びる、エラストマー性のマトリックス部材を有する閉塞器具であって、標的脈管部位を共形的に充填することができる非線形形状をとる閉塞器具。
【請求項２】
少なくとも一の長手方向に延びる強化フィラメントあるいはファイバーをも有する請求項１に記載の閉塞器具。
【請求項３】
各フィラメントあるいはファイバーが、白金ワイヤ、白金コイル、白金ハイポチューブ、白金バンド、ポリマーファイバーあるいはフィラメント、白金ワイヤとポリマーファイバーあるいはフィラメントの組紐、二以上の白金ワイヤの組紐より成る群から選ばれる、請求項２に記載の閉塞器具。
【請求項４】
少なくとも二の強化フィラメントあるいはファイバーが存在する、請求項２に記載の閉塞器具。
【請求項５】
上記強化フィラメントあるいはファイバーが、該器具の少なくとも一つの物理的特性を変えるように予め選択された材料から選択されている、請求項４に記載の閉塞器具。
【請求項６】
少なくとも一の強化フィラメントあるいはファイバーが放射線不透過性である、請求項２に記載の閉塞器具。
【請求項７】
上記エラストマー状マトリックスが、生物耐久性の、網状のエラストマー状マトリックスである、請求項１に記載の閉塞器具。
【請求項８】
上記エラストマー状マトリックスが、ポリカーボネート  ポリウレタン−ウレア、ポリカーボネート  ポリウレア−ウレタン、ポリカーボネート  ポリウレタン、またはポリカーボネート  ポリシロキサン  ポリウレタンである、請求項１に記載の閉塞器具。
【請求項９】
上記エラストマー状マトリックスが弾力的に回復可能である、請求項１に記載の閉塞器具。
【請求項１０】
長手方向に延びる内腔および近位端ならびに遠位端を有する導入体鞘、
該内腔の中に位置された請求項１記載の閉塞器具、ただし該閉塞器具は近位端を有すること、
該導入体鞘の近位端に取り付けられ、血流停止バルブおよび放流ポートを有するサイドアーム、および
血流停止バルブを通り導入体鞘内へ延びており、かつ該閉塞器具の近位端に取り外し可能に係合されている遠位端を有する押出し部材、
を有するパッケージングまたは導入体系。
【請求項１１】
遠位端を有する連動ワイヤが該押出し部材内へ長手方向に延びており、該閉塞器具がその近位端においてループを有し、該押出し部材の遠位端が開口を有し、該開口を通って上記ループが延びており、連動ワイヤの遠位端が押出し部材の遠位端内で開放可能に保持されており、該連動ワイヤの遠位端は、押出し部材の遠位端が上記閉塞器具の近位端と開放可能に係合するように上記ループと開放可能に係合している、請求項１０記載の系。
【請求項１２】
可撓性の、長手方向に延びる生体適合性の部材、および
該生体適合性の部材と係合している少なくとも一つの長手方向に延びる要素であって、該生体適合性の部材を保持しかつそれが標的脈管部位を共形的に充填することを助ける要素、
を有する脈管閉塞器具。
【請求項１３】
標的脈管部位を共形的に充填する非線形形状をとる、請求項１２記載の器具。
【請求項１４】
該部材の少なくとも一の部分において非曲線の形状を有し、及び該非曲線の形状が少なくとも一つの頂点を有する、請求項１２記載の器具。
【請求項１５】
上記生体適合性の部材がエラストマー状マトリックスを含む、請求項１２記載の器具。
【請求項１６】
該エラストマー状マトリックスが、生物耐久性の、網状のエラストマー状マトリックスである、請求項１５記載の器具。
【請求項１７】
該エラストマー状マトリックスが、ポリカーボネート  ポリウレタン−ウレア、ポリカーボネート  ポリウレア−ウレタン、ポリカーボネート  ポリウレタン、およびポリカーボネート  ポリシロキサン  ポリウレタンから成る群から選択される、請求項１５に記載の器具。
【請求項１８】
上記エラストマー状マトリックスが弾力的に回復可能な材料である、請求項１５に記載の器具。
【請求項１９】
各長手方向に延びる要素が構造的フィラメントを含む、請求項１２記載の器具。
【請求項２０】
複数の位置で互いに結合されている少なくとも二の長手方向に延びる構造的フィラメントまたはファイバーを含む、請求項１２記載の器具。
【請求項２１】
該要素が結びによって結合されている、請求項２０記載の器具。
【請求項２２】
該少なくとも一の長手方向に延びる要素が少なくとも二の構造的フィラメントまたはファイバーを含む、請求項１２記載の器具。
【請求項２３】
該構造的フィラメントまたはファイバーが、該器具の少なくとも一つの物理的特性を変えるように予め選択された材料から選択されている、請求項２２記載の器具。
【請求項２４】
少なくとも一の長手方向に延びる要素が放射線不透過性物質を含む、請求項１２に記載の器具。
【請求項２５】
各要素の材料および上記少なくとも二の要素の間の結合が、該器具の所望の特性を作るように選択されている、請求項２０記載の器具。
【請求項２６】
脈管閉塞器具のための導入体系において、該脈管閉塞器具が近位端および遠位端を有し、該遠位端が接触要素を有し、該系が、
長手方向に延びる内腔および近位端ならびに遠位端を有する導入体要素、
該導入体要素内で摺動可能な押出し要素、ただし該押出し要素は、上記閉塞器具の該遠位端に近接して位置づけられた遠位端を有する、および
遠位端を有する芯要素、ただし該芯要素は押出し要素を通って該閉塞器具に平行に延びて、該芯要素の遠位端が上記接触要素と接触し、それによって引張力を該閉塞器具にかける
を有するところの導入体系。
【請求項２７】
遠位端を有しかつ該押出し部材内へ長手方向に延びている連動ワイヤを系がさらに有し、ここで
該閉塞器具がその近位端において開放要素を有し、
該押出し要素の該遠位端は、それを通って開放要素が延びるところの開口を有し、
該連動ワイヤの該遠位端は押出し部材の遠位端内で開放可能に保持され、かつ
該連動ワイヤの該遠位端は、押出し要素の遠位端が上記閉塞器具の近位端と開放可能に係合するように上記解放要素と開放可能に係合する、
請求項２６記載の系。
【請求項２８】
該開放要素がループを有する請求項２６記載の系。
【請求項２９】
該接触要素が張力付与要素を有する請求項２６記載の系。
【請求項３０】
標的脈管部位を閉塞する器具において、
該標的脈管部位において組織の内方成長を許す材料を含む、細長い閉塞要素、および
該閉塞要素に沿って備えられている複数の形象、ただし該形象は、上記要素内で複数の頂点の創造を許す本質的な特徴を与えるように選択される、
を有する上記器具。
【請求項３１】
上記複数の形象が、予め選択された位置で上記閉塞要素に沿って備えられている、請求項３０記載の器具。
【請求項３２】
上記複数の頂点が、該閉塞要素を標的脈管部位内へパッキングすることを容易にする、請求項３０記載の器具。
【請求項３３】
上記形象の少なくとも一が、該細長い要素の位相的特徴を含む、請求項３０記載の器具。
【請求項３４】
上記器具が上記細長い要素と係合する第二の要素を有し、上記形象の少なくとも一が該第二の要素の位相的特徴を含む、請求項３０記載の器具。
【請求項３５】
上記器具が上記細長い要素と係合する第三の要素をさらに有し、上記形象の少なくとも一が上記第二の要素と第三の要素の間の関係を含む、請求項３４記載の器具。
【請求項３６】
上記細長い要素が脈管組織の内方成長を許す生物耐久性の物質を含み、第二の要素がポリマーファイバーまたはフィラメントを含む、請求項３４記載の器具。
【請求項３７】
ポリマーファイバーまたはフィラメントの位相的特徴が縫い目である、請求項３６記載の器具。
【請求項３８】
第二の要素と第三の要素の間の関係が結び目を含む、請求項３５記載の器具。
【請求項３９】
一つの形象の寸法および一対の形象の間の距離から成る群の少なくともひとつが、上記標的脈管部位のパッキングを容易にするように予め選択されている、請求項３８記載の器具。
【請求項４０】
デリバリー器具から脈管インプラントを分離するための機構であって、脈管インプラントが近位端、および該近位端における結合要素を有するところの機構において、該機構が
該デリバリー器具の遠位端において結合されている係合要素、ただし該係合要素は第一の係合した位置および第二の脱係合した位置を有する、および
エネルギー伝達要素の遠位端において上記係合要素に結合されて、該係合要素を作動させるエネルギー伝達要素、
を有し、ここで係合要素は、作動されると、第一の位置にある場合にインプラントの結合要素を係合し、第二の位置にある場合に該結合要素を開放する、
上記機構。
【請求項４１】
インプラントの上記結合要素が可撓性の構造を有する、請求項４０記載の機構。
【請求項４２】
上記可撓性の構造が少なくとも一の開口を有し、デリバリー器具の係合要素のアスペクトが、第一係合位置に在るときに該開口を通過することができる、請求項４１記載の機構。
【請求項４３】
上記可撓性の構造がループを有する、請求項４２記載の機構。
【請求項４４】
上記係合要素が第一の位置から第二の位置へ軸に沿って移動する構造である、請求項４０記載の機構。
【請求項４５】
上記デリバリー器具がワイヤおよび鞘から成る群からの少なくとも一つを有し、上記軸がデリバリー器具の長手方向軸と平行であり、上記エネルギー伝達要素がワイヤおよび鞘の少なくとも一つを有する、請求項４４記載の機構。
【請求項４６】
上記デリバリー器具が鞘を有し、エネルギー伝達要素がワイヤを有し、上記係合要素が、デリバリー器具鞘に対するワイヤ係合要素の相対的回転の結果として第一の位置と第二の位置との間を推移する、請求項４５記載の機構。
【請求項４７】
上記係合要素が上記ワイヤの遠位部分を含み、インプラントの結合要素がループ構造を有し、係合要素の第一の位置において上記ループ構造はワイヤの遠位部分のあたりにしっかりと保持され、かつ、係合要素の第二の位置において上記ループ構造はワイヤの自由な遠位端から開放される、請求項４６記載の機構。
【請求項４８】
脈管組織の内方成長を収容する複数の窪みを有する、紐形状の生体適合性物質を有する脈管閉塞器具。
【請求項４９】
デリバリー器具の内腔を通るデリバリーのための、可撓性の、長手方向に延びる生体適合性の部材を有し、
該部材は、内腔の最小内側寸法に基づいて選択された寸法特徴を有する複数の孔を有するところの
脈管閉塞器具。
【請求項５０】
該内腔の最小内側寸法が該内腔の内径を含み、該部材が該内腔の最小内側寸法より小さい最大幅を有する、請求項４９記載の脈管閉塞器具。
【請求項５１】
孔サイズが、平均孔直径が該部材の最大幅の約25％以上であるように選択されている、請求項５０記載の脈管閉塞器具。
【請求項５２】
孔サイズが、平均孔直径が該部材の最大幅の約25％〜約33%であるように選択されている、請求項５１記載の脈管閉塞器具。
【請求項５３】
長手方向に延びる器具の特性を調節する系において、
（a）可撓性の、長手方向に延びる部材、および
(b)部材(a)と係合する少なくとも一の長手方向に延びる要素を有し、
ここで、要素(b)は、該器具の少なくとも一の物理的特性を変えるように予め選択された物質から選択されている、
上記系。
【請求項５４】
部材(a)が生体適合性である、請求項５３記載の系。
【請求項５５】
要素(b)が白金、イリジウム、およびポリマーファイバーまたはフィラメントから成る群から選択される、請求項５３記載の系。
【請求項５６】
少なくとも二の長手方向に延びる要素が存在する、請求項５３記載の系。